(57)【要約】【課題】  幼児座席に座る幼児が小さいときから長期間に亘ってハンドルを良好に握ることができるようにする。【解決手段】  座部と左右一対の座席側壁とを有し、左右一対の座席側壁間にハンドルが設けられた自転車用幼児座席において、  左右一対の座席側壁に、上下一対の挟持レールがそれぞれ前後方向に設けられ、ハンドルの左右両端部に前記一対の挟持レール間に前後移動自在に嵌合される嵌合体が設けられ、嵌合体はハンドルの両端部に横軸廻りに固定位置と固定解除位置とに回動可能に連結され、嵌合体を固定位置に回動したときに嵌合体が一対の挟持レールの間に前後移動不能に固定され、嵌合体を固定解除位置に回動したときに嵌合体が一対の挟持レール間に前後移動自在に保持されるように構成されている。【選択図】図１１
2010254094.tif 000002
【特許請求の範囲】
【請求項１】
座部（１）と左右一対の座席側壁（２１）とを有し、左右一対の座席側壁（２１）間にハンドル（８５）が設けられた自転車用幼児座席において、
左右一対の座席側壁（２１）に、上下一対の挟持レール（８６）がそれぞれ前後方向に設けられ、ハンドル（８５）の左右両端部に前記一対の挟持レール（８６）間に前後移動自在に嵌合される嵌合体（８７）が設けられ、嵌合体（８７）はハンドル（８５）の両端部に横軸廻りに固定位置（Ａ）と固定解除位置（Ｂ）とに回動可能に連結され、嵌合体（８７）を固定位置（Ａ）に回動したときに嵌合体（８７）が一対の挟持レール（８６）の間に前後移動不能に固定され、嵌合体（８７）を固定解除位置（Ｂ）に回動したときに嵌合体（８７）が一対の挟持レール（８６）間に前後移動自在に保持されるように構成されていることを特徴とする自転車用幼児座席。
【請求項２】
前記嵌合体（８７）は円板状に形成され、嵌合体（８７）の径方向に対応する外周部に径方向内方に弾性変形可能な変形部（９３）が設けられ、前記上下一対の挟持レール（８６）は、前後方向に向かう従い互いに離間と接近を繰り返すように波形に形成され、嵌合体（８７）を固定位置（Ａ）に回動したときに嵌合体（８７）の変形部（９３）が一対の挟持レール（８６）から外れて一対の挟持レール（８６）間に前後移動不能に嵌合固定され、嵌合体（８７）を固定解除位置（Ｂ）に回転したときに嵌合体（８７）の変形部（９３）が一対の挟持レール（８６）に対応して嵌合体（８７）が一対の挟持レール（８６）間に前後移動自在に嵌合保持されることを特徴とする請求項１に記載の自転車用幼児座席。
【請求項３】
左右一対の座席側壁（２１）に前後方向に長い挿通孔（８８）が設けられ、ハンドル（８５）の両端部に支持筒体（８９）が左右方向外方に突設され、支持筒体（８９）は一対の側壁の挿通孔（８８）に前後移動自在に挿通され、嵌合体（８７）は一対の座席側壁（２１）の外面側に配置され、嵌合体（８７）の中央部に支持軸（９０）が左右方向内方に突設され、各支持軸（９０）は支持筒体（８９）に軸心廻りに回動自在に挿通され、嵌合体（８７）を横軸廻りに回動操作するための回動操作体（９４）が支持軸（９０）の内端部に固設され、回動操作体（９４）は一対の座席側壁（２１）の内面側に配置され、前記上下一対の挟持レール（８６）は、一対の座席側壁（２１）の外面側であって前記挿通孔（８８）の上下に配置され、上下一対の挟持レール（８６）の両端同士は、挿通孔（８８）の前後方向外方で互いに連結されていることを特徴とする請求項１又は２に記載の自転車用幼児座席。
【発明の詳細な説明】
【技術分野】
【０００１】
本発明は、自転車用幼児座席に関するものである。
【背景技術】
【０００２】
自転車用幼児座席には、座部と左右一対の座席側壁とを有し、左右一対の座席側壁間に幼児座席に座った幼児が握るためのハンドルを設けたものがある。
この種の従来の自転車用幼児座席には、ハンドルの両端部を左右一対の座席側壁に対して横軸廻りに揺動調整自在に取り付け、これにより幼児座席に座った幼児の着座姿勢に応じてハンドルを前後に横軸廻りに揺動調整して、幼児座席に座った幼児がハンドルを楽に握ることができるようにしたものがある（例えば特許文献１）。
【先行技術文献】
【特許文献】
【０００３】
【特許文献１】特許第３８４０６５７号公報
【発明の概要】
【発明が解決しようとする課題】
【０００４】
しかし、従来では、ハンドルの揺動調整によるハンドルの前後方向への移動調整範囲は僅かであって、移動調整の段数も少なかった。このため、幼児は成長が早く伸長等が伸びる割合も大きいため、ハンドルの背凭れ部からの離間幅を小さな幼児用に設定しておけば、幼児が成長するつれてハンドルの位置が背凭れ部に近すぎるようになり、短期間でハンドルを良好に握れなくなるし、ハンドルが邪魔になることもあった。
本発明は上記問題点に鑑みて、幼児座席に座る幼児が小さいときから長期間に亘ってハンドルを良好に握ることができるようにしたものである。
【課題を解決するための手段】
【０００５】
この技術的課題を解決する本発明の技術的手段は、座部と左右一対の座席側壁とを有し、左右一対の座席側壁間にハンドルが設けられた自転車用幼児座席において、
左右一対の座席側壁に、上下一対の挟持レールがそれぞれ前後方向に設けられ、ハンドルの左右両端部に前記一対の挟持レール間に前後移動自在に嵌合される嵌合体が設けられ、嵌合体はハンドルの両端部に横軸廻りに固定位置と固定解除位置とに回動可能に連結され、嵌合体を固定位置に回動したときに嵌合体が一対の挟持レールの間に前後移動不能に固定され、嵌合体を固定解除位置に回動したときに嵌合体が一対の挟持レール間に前後移動自在に保持されるように構成されている点にある。
【０００６】
また、本発明の他の技術的手段は、前記嵌合体は円板状に形成され、嵌合体の径方向に対応する外周部に径方向内方に弾性変形可能な変形部が設けられ、前記上下一対の挟持レールは、前後方向に向かう従い互いに離間と接近を繰り返すように波形に形成され、嵌合体を固定位置に回動したときに嵌合体の変形部が一対の挟持レールから外れて一対の挟持レール間に前後移動不能に嵌合固定され、嵌合体を固定解除位置に回転したときに嵌合体の変形部が一対の挟持レールに対応して嵌合体が一対の挟持レール間に前後移動自在に嵌合保持される点にある。
【０００７】
また、本発明の他の技術的手段は、左右一対の座席側壁に前後方向に長い挿通孔が設けられ、ハンドルの両端部に支持筒体が左右方向外方に突設され、支持筒体は一対の側壁の挿通孔に前後移動自在に挿通され、嵌合体は一対の座席側壁の外面側に配置され、嵌合体の中央部に支持軸が左右方向内方に突設され、各支持軸は支持筒体に軸心廻りに回動自在に挿通され、嵌合体を横軸廻りに回動操作するための回動操作体が支持軸の内端部に固設され、回動操作体は一対の座席側壁の内面側に配置され、前記上下一対の挟持レールは、一対の座席側壁の外面側であって前記挿通孔の上下に配置され、上下一対の挟持レールの両端同士は、挿通孔の前後方向外方で互いに連結されている点にある。
【発明の効果】
【０００８】
本発明によれば、左右一対の座席側壁に、上下一対の挟持レールがそれぞれ前後方向に設けられ、ハンドルの左右両端部に前記一対の挟持レール間に前後移動自在に嵌合される
嵌合体が設けられ、嵌合体を回転操作することによって上下一対の挟持レール間に嵌合体を前後移動させることができると共に、嵌合体を回転操作することにより嵌合体を上下一対の挟持レール間に簡単に固定することができ、ハンドルを前後方向に大きな範囲でかつ細かく移動調整することが可能となる。従って、幼児座席に座る幼児の成長に合わせて、ハンドルを好適な前後位置に簡単に設定できるようになり、幼児座席に座る幼児が小さいときから長期間に亘ってハンドルを良好に握ることができる。
【図面の簡単な説明】
【０００９】
【図１】本発明の一実施形態を示す自転車用幼児座席の側面図である。
【図２】同自転車用幼児座席の平面図である。
【図３】同自転車用幼児座席の分解斜視図である。
【図４】同自転車用幼児座席の側面断面図である。
【図５】同座席本体の側面図である。
【図６】同座席本体の平面図である。
【図７】同背凭れ体の平面図である。
【図８】同背凭れ体の底面図である。
【図９】同ヘッドレストの正面図である。
【図１０】同ハンドル部分の正面断面図である。
【図１１】同ハンドルの支持部分の側面図である。
【図１２】同図１１のＡ−Ａ線断面図である。
【図１３】同ベルト巻取具の分解斜視図である。
【図１４】同ベルト巻取具の回転ロック状態の正面断面図である。
【図１５】同ベルト巻取具のラチェット解除状態の正面断面図である。
【図１６】同背凭れ係合機構（背凭れロック機構）部分の側面断面図である。
【図１７】同背凭れ係合機構部分の係合状態の正面断面図である。
【図１８】同背凭れ係合機構部分の係合解除状態の正面断面図である。
【図１９】同背凭れ係合機構部分の分解斜視図である。
【発明を実施するための形態】
【００１０】
以下、本発明の実施の形態を図面を参照して説明する。
図１〜図４において、自転車用子供座席は、座部１を有する座席本体２と、背凭れ部３を有する背凭れ体４とを別体に備え、背凭れ体４の背凭れ部３にヘッドレスト５が高さ調整自在に設けられ、座席本体２にステップ６が横軸７廻りに揺動可能に設けられている。自転車用子供座席は、自転車のハンドルバー８に着脱自在に装着され、ここに幼児を座らせることができると共に荷駕籠にもなるように構成されている。図４に示すように、ステップ６は座席本体２の座部１前方を下から塞ぐ閉鎖姿勢Ｐと、脚下げ時に下げた足を載せることが可能な足載置姿勢Ｓとに姿勢変更可能になっている。
【００１１】
座席本体２、背凭れ体４、ヘッドレスト５、ステップ６はそれぞれ合成樹脂で一体成形されている。
図１〜図６に示すように、座席本体２は、座部１の他に左右一対の本体側壁１１を有し、座席本体２の左右一対の本体側壁１１が自転車の左右一対のハンドルバー８の内側に配置されて、図示省略のボルトナット等の締結具で固定されている。座部１の前方に足下げ用開口１２が設けられ、座部１の左右方向中央部から前方に突出して足下げ用開口１２を左右に分離する仕切り壁１３が設けられている。左右一対の本体側壁１１の前端同士を連結する連結壁板１４が設けられ、仕切り壁１３の前端側が連結壁板１４の左右方向中央部に連結されている。
【００１２】
図１〜図４、図７、図８に示すように、背凭れ体４は背凭れ部３の他に背凭れ部３下端から前方突出した底壁１６と、左右一対の背凭れ側壁１７とを有している。
図１〜図４に示すように、背凭れ体４の左右一対の背凭れ側壁１７が座席本体２の左右一対の本体側壁１１の内側に配置されて、座席本体２の左右一対の本体側壁１１の後部と背凭れ体４の左右一対の背凭れ側壁１７の前部とが左右に重合され、例えば、本体側壁１１の取付孔１０を外側から円板体１５で塞ぐと共に、側壁１７の前上部側と本体側壁１１
の後上部側とを図示省略のボルトと円板体１５に保持したナットとで締め付けることにより、左右一対の背凭れ側壁１７の前上部側が本体側壁１１の後上部側に左右方向の支軸２０廻りに揺動自在に支持されている。而して、背凭れ体４の上部側が座席本体２に対して左右方向の支軸２０廻りに揺動自在に支持され、左右一対の本体側壁１１と左右一対の背凭れ側壁１７とで自転車用子供座席の左右一対の座席側壁２１を構成している。
【００１３】
図１〜図４、図１６〜図１９に示すように、座席本体２の座部１と背凭れ体４の底壁１６とは支軸２０を支点とする円弧状に湾曲され、座席本体２の座部１上に背凭れ体４の底壁１６が配置されて、座席本体２の座部１と背凭れ体４の底壁１６とが支軸２０を支点とする円弧状に湾曲した重合面で互いに前後移動自在に重合されている。
背凭れ体４の底壁１６を座席本体２の座部１に対して支軸２０廻りに前後移動調整自在に係合保持する背凭れ係合機構２３が座部１と底壁１６との間に設けられ、背凭れ係合機構２３を係合状態にロックする背凭れロック機構２４が設けられ、背凭れ係合機構２３を操作するための背凭れ操作具２５が座部１の下面側に設けられている。
【００１４】
図４、図６、図１６〜図１９に示すように、背凭れ係合機構２３は、底壁１６に設けた複数の嵌合凹部２７と座部１に設けた嵌合凸部２８とを有し、複数の嵌合凹部２７は底壁１６の下面（重合面）に支軸２０廻りの円弧方向に並んで設けられ、嵌合凸部２８は座部１に嵌合凹部２７に向けて出退移動自在に保持され、嵌合凸部２８は底壁１６を座部１に対して前後移動調整自在に係合すべく複数の嵌合凹部２７に選択的に嵌合するように構成されている。
座部１の後端部に、嵌合凹部２７に対応して上下に開口した収納部２９が設けられている。収納部２９の左右方向中央部にその下開口縁部の前後を連結する連結底壁３０が設けられ、連結底壁３０に取付孔３１が形成されている。収納部２９の左右両側に左右一対の支持ブロック３２が嵌合凹部２７に向けて上下移動自在に保持されている。左右一対の支持ブロック３２は上下方向の中途部で連結壁部３３により互いに連結されている。連結壁部３３に取付孔３４が形成されている。
【００１５】
左右一対の支持ブロック３２に嵌合凸部２８が突設され、支持ブロック３２の上下移動に伴って嵌合凸部２８が収納部２９から嵌合凹部２７に出退するようになっている。支持ブロック３２を嵌合凹部２７に向けて付勢するバネ部材３５が設けられている。バネ部材３５はコイルバネにより構成され、連結底壁３０と連結壁部３３との間に配置されている。
背凭れロック機構２４は、座部１の前端部に設けた前後一対の係止凹部３７と、背凭れ操作具２５でロック位置Ｘ１とロック解除位置Ｙ１とに回動操作可能なロック部材３８とを備え、前後一対の係止凹部３７は収納部２９の左右方向中央部の嵌合凹部２７側に収納部２９に連通するように形成されている。背凭れ操作具２５でロック部材３８をロック位置Ｘ１に回動したときに、ロック部材３８の両端部が係止凹部３７に係合することにより、嵌合凸部２８が嵌合凹部２７に嵌合した状態で支持ブロック３２が下方移動不能にロックされ、これにより、背凭れロック機構２４は、嵌合凸部２８を嵌合凹部２７に嵌合した状態にロックするように構成されている。また、背凭れ操作具２５でロック部材３８をロック解除位置Ｙ１に回動したときに、ロック部材３８が係止凹部３７から外れることにより、支持ブロック３２が上下移動自在になって嵌合凸部２８が嵌合凹部２７から収納部２９内に後退可能とされている。従って、背凭れ操作具２５は、背凭れロック機構２４をロック状態とロック解除状態とに切り換え操作するための切り換え操作具として機能する（切り換え操作具に兼用されている）。
【００１６】
ロック部材３８に支持筒軸４０が突設され、支持筒軸４０の突出端側に十字座金４３が相対回動不能に外嵌固着され、支持筒軸４０が連結壁部３３及び連結底壁３０に取付孔３１，３４を介して縦軸廻りに相対回動自在に挿通されている。背凭れ操作具２５は支持ブロック３２の下面側に配置され、十字座金４３が背凭れ操作具２５の嵌合没入部４４に嵌合固着され、背凭れ操作具２５とロック部材３８とをボルトナット等の締結具４１で締め付け固定することにより、背凭れ操作具２５とロック部材３８とで支持ブロック３２を上下に挟持すると共に、背凭れ操作具２５とロック部材３８とが支持ブロック３２に対して
縦軸廻りに回動するように互いに連結されている。従って、背凭れ操作具２５を縦軸廻り回動することにより、ロック部材３８が背凭れ操作具２５に連動して縦軸廻りにロック位置Ｘ１とロック解除位置Ｙ１とに回動し、ロック部材３８がロック解除位置Ｙ１に回動した状態で背凭れ操作具２５を縦軸方向（下方に）に引っ張ることにより支持ブロック３２が収納部２９を下方に移動して嵌合凸部２８が嵌合凹部２７から外れるように構成されている。従って、背凭れ操作具２５は、背凭れロック機構２４をロック状態とロック解除状態とに切り換え操作するための切り換え操作具に兼用されており、背凭れ操作具２５は、背凭れ係合機構２３による係合を解除操作するための操作具として機能する共に、背凭れロック機構２４の切り換え操作具として機能する。
【００１７】
図６、図８、図１７、図１８に示すように、座部１の後部の左右両側に前後方向の案内溝４６が左右一対設けられ、底壁１６の左右両側に案内溝４６に対応する左右一対の嵌合突起４７が下方突設され、嵌合突起４７が案内溝４６に前後摺動自在に嵌合され、これにより、背凭れ体４を座席本体２に対して左右にガタ付かないように前後移動自在に案内している。
図４、図６、図９、図１３〜図１５に示すように、座部１の前側に２本のシートベルト５１を繰り出し自在に巻き取るベルト巻取具５２が設けられている。背凭れ部３側の上部であるヘッドレスト５の左右両側に一対の連結ベルト５３が連結されている。図９に示すように、ヘッドレスト５の左右両側に上挿通孔４８と下挿通孔４９とが設けられ、これら挿通孔４８，４９に連結ベルト５３を挿通して、連結ベルト５３の基端部に挿通孔４８，４９に挿通不能な抜止部５０を形成することにより、連結ベルト５３はヘッドレスト５の左右両側に連結されている。
【００１８】
２本のシートベルト５１の先端部と左右一対の連結ベルト５３の先端部とに、互いにワンタッチで着脱自在に連結される雄部材５４と雌部材５５とが振り分けて設けられ、２本のシートベルト５１と左右一対の連結ベルト５３とは雄部材５４と雌部材５５とを介して連結されるようになっている。仕切り壁１３に下方に没入した収納凹部５６が設けられ、この収納凹部５６にベルト巻取具５２が着脱可能に収納保持されている。
図１３〜図１５に示すように、ベルト巻取具５２は巻取ケース５８と、２本のシートベルト５１を巻き取る巻取用回転体５９とを有し、巻取ケース５８は左右一対のケース体５８ａ，５８ｂをボルトナット等の締結具６０で互いに締結して成る。巻取用回転体５９は左右一対の回転体５９ａ，５９ｂを組み合わせてなり、巻取ケース５８内に横軸（締結具６０の軸心）廻りに回転自在に収納され、巻取ケース５８内に収納した巻取バネ６２により巻取用回転体５９がシートベルト５１を巻き取る方向に回転自在に付勢されている。
【００１９】
巻取ケース５８内に、ラチェット機構６５と巻取用回転体５９の回転を不能にする回転ロック機構６６とが設けられ、巻取ケース５８の外側にラチェット操作具６７が設けられている。
ラチェット機構６５は巻取用回転体５９に設けた左右一対のラチェット用歯車６８とラチェット用歯車６８に係脱自在に係合する左右一対のラチェット爪６９とを有し、巻取ケース５８内に、前記ラチェット爪６９を左右一対有する爪構成部材７０がラチェット用歯車６８に向けて移動自在に保持され、巻取ケース５８内に爪構成部材７０をラチェット用歯車６８に向けて付勢するラチェット用バネ７１が設けられ、ラチェット機構６５は巻取用回転体５９の繰り出し方向への回転のみを許して巻き取り方向への回転を不能にするように構成されている。
【００２０】
回転ロック機構６６は、巻取ケース５８内に設けた係止部７３と、ロック位置Ｘ２とロック解除位置Ｙ２とに回動操作可能なロック部材７４とを備える。ロック部材７４の中央部に第１支持筒７７と第２支持筒７８とが上下に突設されており、第１支持筒７７は基部側の円筒部７７ａと先端側の角筒部７７ｂとを有している。第２支持筒７８は円筒状に形成されている。第１支持筒７７は巻取ケース５８の上壁に挿通孔８０を介して軸心廻りに回転自在に挿通されると共に、ラチェット操作具６７の下面側に嵌合固定されている。第２支持筒７８は爪構成部材７０の中央部に軸心廻りに相対回転自在に挿通されている。ラチェット操作具６７は巻取ケース５８の外面側に配置され、ラチェット操作具６７とロッ
ク部材７４とが第１支持筒７７及び第２支持筒７８に挿入したボルトナット等の締結具８１により互いに連結固定されて、爪構成部材７０に対して支持筒７７，７８廻りに回動可能に連結され、ラチェット操作具６７を支持筒７７，７８（支持軸）廻りに回動することにより、ロック部材７４がラチェット操作具６７に連動して支持筒７７，７８廻りにロック位置Ｘ２とロック解除位置Ｙ２に回動する。
【００２１】
ラチェット操作具６７でロック部材７４をロック位置Ｘ２に回動したときに、ロック部材７４が係止部７３に係合することにより、ラチェット爪６９がラチェット用歯車６８に係合した状態で爪構成部材７０がラチェット用歯車６８側にロックされ、これにより、回転ロック機構６６はラチェット爪６９をラチェット用歯車６８に係合した状態にロックして巻取用回転体５９の回転を不能にする。また、ラチェット操作具６７でロック部材７４をロック解除位置Ｙ２に回動したときに、ロック部材７４が係止部７３から外れることにより、ラチェット爪６９がラチェット用歯車６８から外れるように爪構成部材７０がラチェット用歯車６８側から後退可能とされ、これにより、回転ロック機構６６によるロックが解除可能になる。従って、ラチェット操作具６７は、ラチェット爪６９をラチェット用歯車６８から離間させるためのラチェット操作具としての機能を有すると共に、回転ロック機構６６をロック状態とロック解除状態とに切り換え操作するための切り換え操作具の機能を有する。
【００２２】
ロック部材７４がロック解除位置Ｙ２に回動した状態でラチェット操作具６７を支持筒７７，７８（支持軸）方向に引っ張る（移動する）ことにより、ラチェット用バネ７１の付勢に抗して爪構成部材７０がロック部材７４と共にラチェット用歯車６８から離間してラチェット爪６９がラチェット用歯車６８から外れるように構成され、これにより、ラチェット爪６９をラチェット用歯車６８から離間させて、巻取用回転体５９を巻取バネ６２の付勢により巻き取り方向に自動的に回転させる。
図１、図３、図５、図１０〜図１２に示すように、左右一対の座席側壁２１（本体側壁１１）間にハンドル８５が設けられている。左右一対の座席側壁２１に、上下一対の挟持レール８６がそれぞれ前後方向に設けられ、ハンドル８５の左右両端部に前記一対の挟持レール８６間に前後移動自在に嵌合される嵌合体８７が設けられている。左右一対の本体側壁１１に前後方向に長い挿通孔８８が設けられ、ハンドル８５の両端部に支持筒体８９が左右方向外方に突設され、支持筒体８９は一対の座席側壁２１の挿通孔８８に前後移動自在に挿通されている。
【００２３】
図１０〜図１２に示すように、嵌合体８７は円板状に形成されて、一対の本体側壁１１（座席側壁２１）の外面側に配置され、嵌合体８７の中央部に支持軸９０が左右方向内方に突設され、各支持軸９０は支持筒体８９に軸心廻りに回動自在に挿通され、これにより、嵌合体８７はハンドル８５の両端部に横軸（支持軸９０）廻りに固定位置Ａと固定解除位置Ｂとに回動可能に連結されている。嵌合体８７の径方向に対応する位置に円弧状の長孔９２が設けられ、これにより、嵌合体８７の径方向に対応する外周部に径方向内方に弾性変形可能な変形部９３が形成されている。
【００２４】
上下一対の挟持レール８６は、一対の本体側壁１１の外面側であって前記挿通孔８８の上下に配置され、上下一対の挟持レール８６の両端同士は、挿通孔８８の前後方向外方で互いに連結されている。上下一対の挟持レール８６は、前後方向に向かう従い互いに離間と接近を繰り返すように波形に形成され、嵌合体８７を固定位置Ａに回動したときに嵌合体８７の変形部９３が一対の挟持レール８６から外れて一対の挟持レール８６間に前後移動不能に嵌合固定され、嵌合体８７を固定解除位置Ｂに回転したときに嵌合体８７の変形部９３が一対の挟持レール８６に対応して嵌合体８７が一対の挟持レール８６間に前後移動自在に嵌合保持されるようになっている。
【００２５】
嵌合体８７を横軸廻りに回動操作するための回動操作体９４がボルトナット等の締結具９１による締め付け等によって支持軸９０の内端部に固設され、回動操作体９４は一対の本体側壁１１の内面側に配置されている。一対の挟持レール８６及び嵌合体８７の外側方を覆う保護カバー９５が座席本体２の本体側壁１１の外面に着脱自在に設けられている。
上記実施形態によれば、図１６及び図１７に示すように、ロック部材３８がロック位置
Ｘ１にあって、嵌合凸部２８が嵌合凹部２７に嵌合した状態から、背凭れ部３をリクライニング調整する場合、まず、図１８に示すように、背凭れ操作具２５を回動操作して、ロック部材３８をロック位置Ｘ１からロック解除位置Ｙ１に回動する。すると、ロック部材３８が係止凹部３７から外れることにより、支持ブロック３２が上下移動自在になって嵌合凸部２８が嵌合凹部２７から収納部２９内に後退可能となる。その後、図１８に示すように、背凭れ操作具２５を縦軸方向（下方に）に引っ張ることにより支持ブロック３２が収納部２９を下方に移動して嵌合凸部２８が嵌合凹部２７から外れる。この状態で、支軸２０を支点とする円弧状に湾曲した重合面に沿って底壁１６を座部１に対して前後移動させると、図４に鎖線で示す如く背凭れ部３が支軸２０軸廻りに揺動する。その後、背凭れ操作具２５を下方に引っ張った状態から上方に戻すと、嵌合凸部２８がいずれかの嵌合凹部２７に嵌合するので、その後、背凭れ操作具２５を回動操作して、ロック部材３８をロック解除位置Ｙ１からロック位置Ｘ１に戻すと、ロック部材３８の両端部が係止凹部３７に係合することにより、嵌合凸部２８が嵌合凹部２７に嵌合した状態で支持ブロック３２が下方移動不能にロックされる。従って、背凭れ操作具２５の操作によって簡単に背凭れ部３をリクライニング調整することができる。
【００２６】
しかも、上記実施形態の場合、背凭れ係合機構２３を係合状態にロックする背凭れロック機構２４が設けられているので、自転車の振動等により、背凭れ係合機構２３の係合が不測に外れたり切り換わるのを背凭れロック機構２４により防止できるし、背凭れ係合機構２３による係合を解除操作し又は背凭れロック機構２４をロック状態とロック解除状態とに切り換え操作するための背凭れ操作具２５が座部１及び底壁１６の下面側に設けられているので、自転車用幼児座席に座った幼児が背凭れ操作具２５に触れるおそれがなくなり、自転車用幼児座席に座った幼児が誤って背凭れ操作具２５に触れて背凭れ体４が不測に前後揺動するのを確実に防止できる。また、座席本体２の座部１と背凭れ体４の底壁１６とが前後移動自在に重合されているので、座席本体２と背凭れ体４とを互いにガタ付かないように前後移動自在に安定に組付けることができる。
【００２７】
また、座席本体２の左右一対の本体側壁１１の後部と背凭れ体４の左右一対の背凭れ側壁１７の前部とが左右に重合され、左右一対の背凭れ側壁１７の前上部側が本体側壁１１の後上部側に支軸２０廻りに揺動自在に支持されているので、本体側壁１１と背凭れ側壁１７との重合によって、背凭れ体４を支軸２０廻りに移動調整する際に背凭れ体４が座席本体２に対して左右にガタ付くのを防止できるし、移動調整した後にも、背凭れ体４が座席本体２に対して左右にガタ付かないように背凭れ体４を座席本体２に対して安定に取り付けておくことができる。
【００２８】
また、座席本体２の座部１と背凭れ体４の底壁１６とが支軸２０を支点とする円弧状に湾曲した重合面で互いに前後移動自在に重合されているので、背凭れ体４を前後移動調整する際に、背凭れ体４の底壁１６が座席本体２の座部１に対して上下方向にガタ付くのを防いで、背凭れ体４を支軸２０廻りに容易かつスムーズに前後調整することができる。また、前後調整後にも背凭れ体４の底壁１６が座席本体２の座部１に対して上下方向にガタ付かないように安定に固定しておくことができる。
また、背凭れ係合機構２３は、底壁１６の重合面に支軸２０廻りの円弧方向に並んで設けられた複数の嵌合凹部２７と、座部１に嵌合凹部２７に向けて出退移動自在に保持された嵌合凸部２８とを有し、嵌合凸部２８は底壁１６を座部１に対して前後移動調整自在に係合すべく複数の嵌合凹部２７に選択的に嵌合するように構成されているので、嵌合凸部２８の嵌合凹部２７への嵌合により、背凭れ体４を座席本体２に対して前後左右にガタ付かないようにより確実かつ安定に固定することができるし、背凭れロック機構２４によって嵌合凸部２８が嵌合凹部２７に嵌合した状態を確実に保持することができる。
【００２９】
また、支持ブロック３２を嵌合凹部２７に向けて付勢するバネ部材３５が設けられているので、バネ部材３５の付勢力によっても嵌合凸部２８の嵌合凹部２７への嵌合を保持することができ、背凭れ体４の背凭れ部３を座席本体２の座部１に対して不測に前後移動したりするのを防ぐことができ、背凭れ体４の座席本体２への固定状態をより強固に維持することができる。
また、背凭れ操作具２５でロック部材３８をロック位置Ｘ１に回動したときに、ロック部材３８が係止凹部３７に係合することにより、嵌合凸部２８が嵌合凹部２７に嵌合した状態で支持ブロック３２が下方移動不能にロックされ、背凭れ操作具２５でロック部材３８をロック解除位置Ｙ１に回動したときに、ロック部材３８が係止凹部３７から外れることにより、支持ブロック３２が上下移動自在になって嵌合凸部２８が嵌合凹部２７から収納部２９内に後退可能とされているので、背凭れ操作具２５によるロック部材３８の回動操作によって、背凭れロック機構２４をロック状態とロック解除状態に簡単かつ確実に切り換えることができる。また、同一の背凭れ操作具２５を引っ張ることによって、簡単に嵌合凸部２８を嵌合凹部２７から外すことができ、背凭れ体４の底壁１６を座席本体２の座部１に対して支軸２０廻りに楽に前後調整することができる。
【００３０】
上記実施形態によれば、２本のシートベルト５１を繰り出す場合、ラチェット操作具６７を回動操作してロック部材７４をロック位置Ｘ２からロック解除位置Ｙ２に回動した後、２本のシートベルト５１を前側に引っ張ればよく、２本のシートベルト５１をベルト巻取具５２から簡単に繰り出すことができる。２本のシートベルト５１を巻き取る場合、ロック部材７４をロック解除位置Ｙ２に回動した後にラチェット操作具６７を上方に引っ張ればよく、巻取用回転体５９を巻取バネ６２の付勢により巻き取り方向に自動的に回転させて、２本のシートベルト５１をベルト巻取具５２に簡単に巻き取ることができる。また、シートベルト５１を幼児に装着する場合は、幼児が幼児座席に座った後にベルト巻取具５２からシートベルト５１を繰り出して連結ベルト５３と連結すればよく、シートベルト５１を幼児に簡単に装着することができる。そして、その後、ラチェット操作具６７を回動操作してロック部材７４をロック解除位置Ｙ２からロック位置Ｘ２に回動しておけば、ロック部材７４が係止部７３に係合することにより、ラチェット爪６９がラチェット用歯車６８に係合した状態で爪構成部材７０がラチェット用歯車６８側にロックされ、シートベルト５１は繰り出し不能になる。
【００３１】
また、上記実施の形態の場合、２本のシートベルト５１を座部１の前側のベルト巻取具５２に巻き取っておくことができるため、幼児が幼児座席に座る際に従来のようにシートベルト５１が邪魔になることがなくなる。また、シートベルト５１を幼児に装着する場合は、幼児が幼児座席に座った後にベルト巻取具５２からシートベルト５１を繰り出して連結ベルト５３と連結すればよく、幼児座席に座った幼児に簡単に装着することができる。
また、ラチェット爪６９をラチェット用歯車６８に係合した状態にロックして巻取用回転体５９の回転を不能にする回転ロック機構６６が設けられているので、幼児座席に座った幼児にシートベルト５１を装着した後に、巻取用回転体５９をロックすることにより、幼児座席に座った幼児がいたずら等でベルト巻取具５２からシートベルト５１を必要以上に繰り出すようなことができなくなり、幼児座席に座った幼児に対してシートベルト５１の良好な装着状態を保持することができる。また、巻取用回転体５９を巻取バネ６２の付勢によりシートベルト５１の巻き取り方向に回転させるように、ラチェット爪６９をラチェット用歯車６８から離間させるラチェット操作具６７が設けられているで、幼児に装着したシートベルト５１を取り外す際には、回転ロック機構６６で２本のシートベルト５１が繰り出し不能にロックされた状態から、ラチェット操作具６７を操作することによって、繰り出された２本のシートベルト５１を巻取バネ６２の付勢によって自動的に巻き取ることができ、便利である。
【００３２】
また、座部１の前方に足下げ用開口１２が設けられ、座部１の左右方向中央部から前方に突出して足下げ用開口１２を左右に分離する仕切り壁１３が設けられ、仕切り壁１３に下方に没入した収納凹部５６が設けられ、この収納凹部５６に前記ベルト巻取具５２が収納保持されているので、幼児座席に座った幼児の股の前方にベルト巻取具５２を配置してここから２本のシートベルト５１を繰り出すことができ、この点からも、幼児座席に座った幼児にシートベルト５１を簡単かつ良好に装着することができる。
また、背凭れ体４にヘッドレスト５が上下調整自在に保持され、ヘッドレスト５の左右両側に一対の連結ベルト５３が連結されているので、幼児座席に座る幼児の大きさに合わせてヘッドレスト５と共に連結ベルト５３の高さ位置を調整することができ、幼児座席に
座った幼児の大きさに合わせてシートベルト５１を良好に装着することができる。
【００３３】
また、ベルト巻取具５２は巻取ケース５８を有しているので、ベルト巻取具５２を巻取ケース５８内に巻取用回転体５９、爪構成部材７０、ラチェット用バネ７１、回転ロック機構６６をコンパクトに収納した状態で、ベルト巻取具５２を座部１の前側に簡単に配置することができるし、また、ラチェット操作具６７の回動操作によってシートベルト５１を繰り出し可能な状態と繰り出し不能な状態とに簡単に切り替えできるようになり、便利である。
上記実施形態によれば、ハンドル８５を左右一対の座席側壁２１に対して前後に移動調整する場合、回動操作体９４を操作して嵌合体８７を固定位置Ａから固定解除位置Ｂとに回動にした後、ハンドル８５を前後に押圧し又は引っ張ればよく、左右一対の嵌合体８７がそれぞれ上下一対の挟持レール８６を前後移動する。また、ハンドル８５を前後移動させた後は回動操作体９４を操作して嵌合体８７を固定解除位置Ｂから固定位置Ａに回動すればよく、左右一対の嵌合体８７がそれぞれ上下一対の挟持レール８６を前後移動不能に固定される。従って、回動操作体９４の回動操作によってハンドル８５を簡単に前後方向に調整することができる。
【００３４】
しかも、左右一対の座席側壁２１に、上下一対の挟持レール８６がそれぞれ前後方向に設けられ、嵌合体８７が一対の挟持レール８６間に前後移動自在に保持されているので、回動操作体９４の回動操作によってハンドル８５を前後方向に大きな範囲でかつ細かく移動調整することが可能となる。従って、幼児座席に座る幼児の成長に合わせて、ハンドル８５を好適な前後位置に簡単に設定できるようになり、幼児座席に座る幼児が小さいときから長期間に亘ってハンドル８５を良好に握ることができる。
また、嵌合体８７の径方向に対応する外周部に径方向内方に弾性変形可能な変形部９３が設けられ、上下一対の挟持レール８６は、前後方向に向かう従い互いに離間と接近を繰り返すように波形に形成されているので、嵌合体８７を固定解除位置Ｂに回転したときに嵌合体８７の変形部９３の弾性変形をうまく利用して嵌合体８７を上下一対の挟持レール８６間に嵌合保持した状態でスムーズに前後移動させることができるし、また、嵌合体８７を固定位置Ａに回動したときに、嵌合体８７の変形部９３が一対の挟持レール８６から外れることと、上下一対の挟持レール８６の波形形状であることを利用して、一対の挟持レール８６間に嵌合体８７を前後移動不能に強固に固定することができる。
【００３５】
なお、前記実施の形態では、座部１を有する座席本体２と背凭れ部３を有する背凭れ体４とを別体に備え、背凭れ部３をリクライニングできるように構成しているが、これに代え、座席本体２側と背凭れ体４側と一体に構成して、座席本体２が互いに固着された座部１と背凭れ部３と左右一対の座席側壁２１等を一体に有するように構成してもよい。
また、前記実施の形態では、嵌合体８７は円板状に形成され、嵌合体８７の径方向に対応する外周部に径方向内方に弾性変形可能な変形部９３が設けられているが、これに代え、嵌合体８７を回転角度によって上下方向の幅が異なる形状、例えば小判形状その他の形状に構成し、回転角度よって、嵌合体８７が一対の挟持レール８６の間に前後移動不能に固定され、又は嵌合体８７が一対の挟持レール８６間に前後移動自在に保持されるように構成してもよい。
【符号の説明】
【００３６】
１    座部
２    座席本体
３    背凭れ部
４    背凭れ体
５    ヘッドレスト
１１    本体側壁
１２    足下げ用開口
１３    仕切り壁
１６    底壁
１７    背凭れ側壁
２０    支軸
２１    座席側壁
２３    背凭れ係合機構
２４    背凭れロック機構
２５    背凭れ操作具
２７    嵌合凹部
２８    嵌合凸部
２９    収納部
３２    支持ブロック
３５    バネ部材
３７    係止凹部
３８    ロック部材
５１    シートベルト
５２    ベルト巻取具
５３    連結ベルト
５４    雄部材
５５    雌部材
５６    収納凹部
５８    巻取ケース
５９    巻取用回転体
６２    巻取バネ
６５    ラチェット機構
６６    回転ロック機構
６７    ラチェット操作具
６８    ラチェット用歯車
６９    ラチェット爪
７０    爪構成部材
７１    ラチェット用バネ
７４    ロック部材
８５    ハンドル
８６    挟持レール
８７    嵌合体
８８    挿通孔
８９    支持筒体
９０    支持軸体
９３    変形部
９４    回動操作体
【図１】
2010254094.tif 000003
【図２】
2010254094.tif 000004
【図３】
2010254094.tif 000005
【図４】
2010254094.tif 000006
【図５】
2010254094.tif 000007
【図６】
2010254094.tif 000008
【図７】
2010254094.tif 000009
【図８】
2010254094.tif 000010
【図９】
2010254094.tif 000011
【図１０】
2010254094.tif 000012
【図１１】
2010254094.tif 000013
【図１２】
2010254094.tif 000014
【図１３】
2010254094.tif 000015
【図１４】
2010254094.tif 000016
【図１５】
2010254094.tif 000017
【図１６】
2010254094.tif 000018
【図１７】
2010254094.tif 000019
【図１８】
2010254094.tif 000020
【図１９】
2010254094.tif 000021